(57)【特許請求の範囲】
【請求項１】
予め定められた波長について、測定システムの事前の較正および調和分析の手段による単位値の決定を行った後、光学活性物質および測定光線振幅の変化を電気信号の変化に変換するアナライザーを通過した後の変調楕円率を有する測定光線の偏光状態を調和分析の手段により確認する光学活性物質の透過率、円偏光ダイクロイズムおよび旋光を同時に測定する方法であって、
上記電気信号の変化を測定光学活性物質の透過率、円偏光ダイクロイズムおよび旋光に対応するゼロ調和成分、第一調和成分および第二調和成分に分け、第一調和成分の周波数を変調周波数に対応させ、そしてこの方法により決定された各調和成分の振幅I0I1およびI2を較正により得られた個々の単位値と比較し、光学活性物質の透過率、円偏光ダイクロイズムおよび旋光を決定する方法において、
参照光線として第二光線を形成する二重光線装置を用い、参照光線（５）を測定光線（４）と同じに較正および変調し、参照光線（５）の振幅の変化を測定光線（４）の振幅の対応する変化と共に交互に電気信号の変化に変換し、更に両光線、すなわち測定光線（４）および参照光線（５）の交代の周波数を変調周波数の10分の１以下とし、参照光線（５）のゼロ調和成分、第一調和成分および第二調和成分を参照しつつ測定を行うことを特徴とする、上記の測定方法。
【請求項２】
既知波長の光線の光源、直線偏光器、変調電圧の発生器に接続された楕円率の変調器、測定試料、アナライザーおよびそのアウトレットに少なくとも２個の狭域増幅器が接続された電磁放射線の検出器により構成された、請求の範囲第１項記載の方法を実施するためのダイクログラフであって、直線偏光器（２）の後に入射光線（100）中に光線の方向スイッチ（３）が配置され、その後に２個の光線、すなわち測定光線（４）および参照光線（５）が形成され、測定光線（４）の光路内にさらに測定光線（４）の楕円率変調器（64）が配置され、これは変調電圧の発生器（17）および測定アナライザー（８）に接続され、ここで測定アナライザーの光学軸（80）が直線偏光器（２）の光学軸（20）に対して角度45゜に向けられ、これらの間に測定試料（７）が配置され、参照光線（５）の光路内にさらに参照光線（５）の楕円率変調器（65）が配置され、その光学軸（60）が直線偏光器（２）の光学軸（20）に対して角度45゜に向けられ、上記参照光線（５）の光路内にさらに少なくとも参照アナライザー（10）が配置され、その光学軸（101）は直線偏光器（２）の光学軸（20）に対して角度45゜±単位角度（α）で向けられ、測定光線（４）および参照光線（５）の光路内に更にこれらの光線を電磁放射線の相互検知器（13）に向けるための光学要素（11、12）が配置され、相互検出器のアウトレットには三組の狭域増幅器、すなわちAC増幅器（14）、楕円率変調器（64、65）の周波数に対応する作動周波数を有する第一狭域増幅器（16）および楕円率変調器の２倍の周波数に対応する作動周波数を有する第二狭域増幅器（16）が接続され、さらに測定光線（４）および参照光線（５）の光路内に光線断続器（30）が配置されていることを特徴とするダイクログラフ。
【請求項３】
単位角度（α）が，±0.1゜ないし±40゜の値を有することを特徴とする請求の範囲第２項に記載のダイクログラフ
【請求項４】
光線断続器（30）が入射光線（100）のスイッチ（３）の一部を構成することを特徴とする請求の範囲第２項または第３項記載のダイクログラフ。
【請求項５】
測定光線（４）の楕円率変調器（64）および参照光線（５）の楕円率変調器（65）が相互楕円率変調器（６）として構成されていることを特徴とする請求の範囲第２項ないし第４項のいずれか１項に記載のダイクログラフ。
【請求項６】
入射光線（100）の光源（１）がモノクロメーターによって構成されていることを特徴とする請求の範囲第２項ないし第５項の何れか１項に記載のダイクログラフ。
【発明の詳細な説明】
技術分野
本発明の主題は、分光偏光法による光学活性ジャイロトロピック物質（optical active,gyrotropic,substance）に於ける円偏光ダイクロイズム、旋光および吸収スペクトルの測定方法およびこの測定を行うための装置の構成である。
背景技術
現在、円偏光ダイクロイズムスペクトルは、分光偏光装置であるダイクログラフによって測定することができ、その装置は光学系を再調整した後、試験する物質の旋光および／または吸収のような他の光学的性質の測定用にも使用することができる。円偏光ダイクロイズムの測定のために、この装置には少なくとも既知の波長の光源、直線偏光器、楕円率の変調器、試験物質用のホルダーおよび／またはキュベット並びに検出器が含まれていなくてはならない。同じ装置により旋光を測定するために、偏光面を光線振幅の変化に変換するアナライザーを検出器の前に挿入する必要がある。吸収を測定するために、光学系から偏光要素群、すなわち偏光器、楕円率変換器およびアナライザーを取り除くことが有利である。
実際問題としてこのことは、公知の形式のダイクログラフを利用する現在用いられている方法によっては、上記の三つの光学的性質の全てを同時に、すなわちリアルタイムで測定することができないことを意味している。このことは、試験する物質の性質または組成が化学反応の間に急速に変化する場合、または例えば、ヒアルロニダーゼのような非安定性有機物質を測定する場合に非常に不便である。
現在のダイクログラフの他の欠点は、実際にたとえば、300〜600nmの間隔で許容できる広いスペクトル領域で一定の円偏光ダイクロイズムを示す利用可能なエタロン物質が存在しないために、これらが円偏光ダイクロイズムの対応する単位を決定するために参照光線を利用することができないと言う事実にある。この事実は現在公知のダイクログラフで行われる測定の精度を制限する。
本発明の目的は、上記の欠点を実質的に解決し、現在公知のダイクログラフを修正した後、円偏光ダイクロイズム、旋光および吸収スペクトルの同時測定をリアルタイムにおよび受容できる広いスペクトル間隔で可能にする測定方法を作り出すことである。
発明の開示
上記の目的は、決定された波長について、測定システムの事前の較正および単位値の決定の後、光学活性物質および測定光線振幅の変化を電気信号の変化に変換するアナライザーを通過した後の変調楕円率を有する測定光線の偏光状態を調和分析の手段により確認する光学活性物質の透過率、円偏光ダイクロイズムおよび旋光の測定方法である本発明の主題により達成される。
本発明による方法の主題は、測定光学活性物質の透過率、円偏光ダイクロイズムおよび旋光に対応するゼロ調和成分、第一調和成分および第二調和成分に分け、第一調和成分の周波数を変調周波数に対応させ、そしてこの方法により決定された調和成分の振幅を較正により得られた個々の単位値と比較することである。
本発明による方法の別の主題は、参照光線として第二光線を形成する二重光線装置を用いて、参照光線を測定光線と同じに較正および変調し、参照光線の振幅の変化を測定光線振幅の対応する変化の変換と共に交互に電気信号の変化に変換し、両光線、すなわち測定光線および参照光線の交替の周波数を、変調周波数の10分の１以下とすることである。
この方法を実施するためのダイクログラフは、既知波長の光線の光源、直線偏光器、変調電圧の発生器に接続された楕円率の変調器、測定試料、アナライザーおよびそのアウトレットに少なくとも２個の狭域増幅器が接続された電磁放射線の検出器により構成され、本発明により、直線偏光器の後に入射光線中に光線の方向スイッチが配置され、その後に２個の光線、すなわち測定光線および参照光線が形成され、測定光線の光路内にさらに測定光線の楕円率変調器が配置され、これは変調電圧の発生器および測定アナライザーに接続され、ここで測定アナライザーの光学軸が直線偏光器の光学軸に対して角度45゜に向けられ、これらの間に測定試料たとえばキュベットが配置され、参照光線の光路内にさらに参照光線の楕円率変換器が配置され、その光学軸が直線偏光器の光学軸に対して角度45゜に向けられ、上記参照光線の光路内にさらに少なくとも参照アナライザーが配置され、その光学軸は直線偏光器の光学軸に対して角度45゜±単位角度（α）で向けられ、測定光線および参照光線の光路内にさらにこれらの光線を電磁放射線の相互検出器に向けるための光学要素、有利にはミラーが配置され、相互検出器のアウトレットには三組の狭域増幅器、すなわちAC増幅器、楕円率変調器の周波数に対応する作動周波数を有する第一狭域増幅器および楕円率変調器の２倍の周波数に対応する作動周波数を有する第二狭域増幅器が接続され、さらに測定光線および参照光線の光路内に光線断続器が配置されている。単位角度（α）は有利には±0.1゜〜±40゜の値を有する。
さらに、光線断続器が入射光線のスイッチの一部を構成し、測定光線の楕円率変調器および参照光線の楕円率変調器が相互楕円率変調器として構成されていてもよい。
最後に、本発明により入射光線の光源がモノクロメーターによって構成されていてもよい。本発明の主題であるこの測定方法およびダイクログラフは、現在の技術水準に対して、実際の試験物質について光学的性質を測定することができる、同時にリアルタイムで全ての上記の３種の光学的属性、すなわち円偏光ダイクロイズム、旋光および吸収を測定するかまたは試験する可能性に於ける重要な進歩を提供する。本発明の主題の他の利点は広い波長スケールで連続測定を行う可能性である。
【図面の簡単な説明】
ダイクログラフ装置の例を添付する図面に図解的に示す。図１はダイクログラフの配置を示す。図２〜４は図１の平面ＡおよびＢでの偏光光線を示す。
発明を実施するための最良の形態
図１に示すダイクログラフは、たとえば、モノクロメーターのための入射単色光線100、たとえば、調節可能な波長を有するレーザまたは単色光線の光源−により構成されている。入射光線100は直線偏光器２を通過して、例えば、半透過性ミラーと反射性ミラーとの組合体により構成される光線スイッチ３に入る。光線スイッチ３の後に、光線100はたとえば、電気的に制御した回転要素−チョッパにより構成された断続器30に向けられる。断続器30から、アウトレット光線は測定光線４または参照光線５として交互に進み、この交番は予備調節した周波数によってなされる。
測定光線４はさらに測定光線楕円率の変調器64、測定試料７、即ちそのパラメーターが測定される溶液の入ったキュベット、たとえば一般構成の結晶偏光器により構成されている測定アナライザー８およびミラー11を通って、ある種の電磁放射線のセンサー、たとえば光電増倍管のようなある種の便利な光電センサーであってよい検出器13の方に進む。
参照光線５は測定光線の測定変調器64と同じものである楕円率の参照変調器65を通過する。有利には両方の変調器は相互変調器６として実現することができる。次いで参照光線５は異方性物質から作られた一対の相互対向配置板により構成されていてよい色消し４分の１波長相要素９を通過する。これらの板の一つは半径方向に移動可能であり、後で述べるように参照光線５の中に交互に配置されている。参照光線５はさらに測定アナライザー８と同じ属性およびパラメーターを有する参照アナライザー10を通過する。参照アナライザーから出た後、参照光線５は参照光線４と同様にミラー12の手段によって同じ電子放射線の検出器13に向けられる。
検出器13のアウトレット134、135および136に、三組増幅器、すなわちAC増幅器14、第一狭域増幅器15および第二狭域増幅器16がある。狭域増幅器15および16はたとえば、共通に接続されている同期検出器として構成され、より低い周波数の一つの電圧が測定光線および参照光線の楕円率の変調器64および65または楕円率の相互変調器６の制御用に用いられる交流電圧の発生器17に接続されている。第二の電圧は二倍の周波数を有し、第二狭域増幅器16用に用いられる。本発明により構成されるダイクログラフの適当な機能のために必要な条件の一つは、発生器17の作動周波数が、光線断続器30の作動周波数、すなわち入射光線100を測定光線４および参照光線５の方向へ切り替える切替え周波数よりも実質的に少なくとも10倍大きいことである。図１にしたがって実施する際に、光線の断続器30の作動周波数はたとえば100Hzであり、一方変調電圧の発生器17の作動周波数は50kHzである。
図１に示すダイクログラフの全システムは、制御、記録および評価装置18によって完結する。この装置18は本発明の主題に結び付けられず、必要なソフトウエアを備えた制御コンピュータから構成されていてよい。
図２に於いて、図面の平面に対して、図１の平面Ａの、すなわち測定試料７の前の入射光線100の偏光の状態が示されている。対応する電気ベクトル41は変調の間に環から楕円の形におよび楕円から環の形に移行する。直線偏光状態は測定光線の変調器64でまたは参照光線５の変調器65で電圧ゼロでの偏光の状態に対応している。
図３は、図１の平面Ｂに於ける、すなわち測定試料が旋光のみを示す場合に測定試料の入ったキュベット７を光線が通過した後の直線偏光入射光線40の電気ベクトル41の位置を示している。図４は、測定試料が円偏光ダイクロイズムのみを示す場合の電気ベクトル41の位置および／または状態を示している。図４から、左回転成分421および右回転成分422の振幅が測定物質の物理的性質のために異なっていることがわかる。この事実の結果は、測定試料７からのアウトレットでのこれらの干渉の後で、対応する得られる電気ベクトルの末端が図４で破線で示す楕円を作ることである。測定試料７が円偏光ダイクロイズムと同様の旋光を示す場合に、得られる楕円の軸は一定の角度φで回転し、楕円率は図４に示すように正接が小さい半軸422と大きい半軸441との比により決定される角度ψによって決定される。測定試料７が実際に常に幾らかの吸収を示すという事実のために、図１の平面Ｂのすなわち測定試料７の後の対応するベクトルの振幅は、平面Ａのすなわち測定試料７の前の同じベクトルの対応する振幅よりも小さい。
光学的パラメーター値の測定は、図１の測定アナライザー８の前の測定光線４の状態と参照アナライザー10の前の参照光線５との比較に基づいている。
測定光線４は、図２に示すようにたとえば、測定光線４の楕円率の変調器を通過した後変調される。測定試料７が三つの測定パラメーターの全て、すなわち幾らかの吸収、円偏光ダイクロイズムおよび旋光を示す場合に、光線電気成分の振幅並びに対応する強度は測定したパラメーターの値に比例して変化する。これらの変化は直線偏光測定光線の元の平面400および測定アナライザー８の対応する角度位置に関連している。
第二のウイング、即ち参照光線５に於いて、参照光線５の変調器65のアウトレットで偏光されるものは、変調器64のアウトレットでの測定光線４と同じである。参照アナライザー10は、本発明によりその偏光面が、一定の予め選定し調節した単位角度α、たとえば１゜ほど測定アナライザー８の対応する偏光面に対して角度的に回転するように配置されている。参照光線５が参照アナライザー10を通過した後、測定光線４および参照光線５の強度Ｉは、検出器13のアウトレット134、135および136で、測定物質の吸収に比例するゼロ調和成分、測定物質の円偏光ダイクロイズムの値に比例する第一調和成分および測定物質の旋光に比例する第二調和成分を含む電流が発生するように変化する。個々の測定成分は測定光線および参照光線の変調器64および65の変調電圧の発生器17の周波数に対応する基本調和に関連している。個々の特定調和成分の振幅について下記の関係が有効である。
ゼロ調和について  I0＝k0×τ
第一調和について  I1＝k1×sinψ
第二調和について  I2＝k2×sinφ
ここで、
τ＝測定物質の透過係数
0003562768.tif 000002
φ＝1/2（δＲ−δＬ）
τR,τＬ−  円偏光光線ＲおよびＬの透過係数
δR,δＬ−  光線ＲおよびＬの相シフト
ψ  −  円偏光ダイクロイズムによって起こされる楕円率
φ  −  旋光によって起こされる偏光面の回転
係数k0、k1およびk2は下記のようにして測定の前の較正による測定システムの定数として定義される。
係数k0は、測定試料７が透過係数τ＝１を有する物質、たとえば水により、次いで測定光線４の閉鎖によってシミュレートできる透過係数τ＝０を有する物質によって充填された図１のキュベットにより構成されている場合に、光電流の差異によって決定される。
係数k1の測定について、測定光線４の中に測定アナライザー８の前で、角度45゜＋αで電気ベクトル40の平面に対して配置された測定アナライザー８と共に、電気ベクトル40の平面に対して角度45゜で配置された色消し４分の１波長相要素９が設置され、値ψ＝αの測定光線の楕円率をもたらすエタロン色消しダイクロイック物質の存在をシミュレートする。値ψは入射光線100の光源１の波長に無関係である。値k1は、角度45゜でまたは選択された単位角度たとえば１゜のそれに続く回転の後で測定アナライザー８の配置で光電流の値の差異から決定される。実際に、間隔±0.1゜から±40゜の単位角度を選択することが有利である。同様に、色消し４分の１波長相要素９を除いた後、係数k2が決定される。
同じ方法によって、参照光線５に対応する比例係数k0、k1およびk2を測定することが可能である。全ての比例係数を評価装置18に記録する。入射単色光線100の光源としてたとえば、モノクロメーターでの僅かの波長の測定の間に、全ての要求波長について係数k0、k1およびk2の決定が同じように行われる。
最初の設置の後で行われる較正が終わった後および／または周期的試験測定のために、色消し４分の１波長相要素９を光路から取り除き、参照アナライザー10を上記単位角度ほど回したままにする。測定アナライザー８を元の位置α＝０゜に回す。
試料７の測定の間、光線の断続器30のために、測定試料７の透過係数τを得ることが可能なゼロ調和測定および参照光線の振幅を比較し、同時に測定光線４に対応する第一および第二調和の振幅を、円偏光ダイクロイズムおよび旋光の値を受け取ることができる参照光線５に対応する第二調和の単位振幅と比較する。参照光線５の第一および第二調和の比は較正の間に得られ、評価装置18によって較正の間に記録され登録される。
たとえば、相互変調器６により測定光線４と同じ方法によって有利に変調される参照光線５を利用することによって、光源１、相互変調器６、検出器13の感度の変動を除いたためにおよび全体の接続電気鎖のこの変動により、吸収、円偏光ダイクロイズムおよび旋光の測定の高い再現性が可能になる。相互変調器６の安定性は、ゼロ調和振幅と第二調和振幅との比について参照光線５を絶えずチェックすることによって測定の間にさらに絶え間なく保証される。
測定の高い精度は、測定アナライザー８および参照アナライザー10を回すためのマイクロメーターネジの精度によって与えらえる。円偏光ダイクロイズム測定精度の向上は、円偏光ダイクロイズムの補償器として用いられる色消し４分の１波長相要素９の存在下で可能な色消し４分の１波長相要素９と参照アナライザー10との組合せによる色消し単位エタロンのシミュレーションによって得られる。この場合に、ダイクログラフはゼロ補償法の手段により最高精度での測定を可能にする。
本発明による光学活性物質の分光偏光属性の測定方法およびダイクログラフは、吸収、旋光および円偏光ダイクロイズムの即座に利用可能な値を有する可能性並びに決定された分光範囲から選択された波長の測定を実現する可能性の結果であり、回転性物質の研究、すなわち有機化学、ファーマコロジー、生物物理学、生物化学等の先端領域の研究のために成功裡に使用される。
参照記号の一覧
１      光源
100  入射光線
２      直線偏光器
20    （直線偏光波の）平面
３      光線のスイッチ
30    光線断続器
４      測定光線
40    変調器の入射光線
400  （直線偏光光線の）平面
41    （直線偏光光線の）電気ベクトル
42    （円偏光光線の）電気ベクトル
420  付加電気ベクトル
421  左回転成分
422  右回転成分
43    （楕円偏光光線の）電気ベクトル
44    得られた電気ベクトル
441  大きい半軸
442  小さい半軸
443  楕円の軸
５      参照光線
６      相互楕円率変調器
60    変調器の光学軸
64    測定光線の楕円率変調器
65    参照光線の楕円率変調器
７      測定試料（キュベット）
８      測定アナライザー
80    測定アナライザーの光学軸
９      色消し４分の１波長相要素
90    色消し４分の１波長相要素の光学軸
10    参照アナライザー
101  アナライザーの光学軸
11、12    ミラー
13    検出器
134  検出器の第一出力
135  検出器の第二出力
136  検出器の第三出力
14    AC増幅器
15    第一狭域増幅器
16    第二狭域増幅器
17    変調電圧の発生器
18    制御、記録および評価装置
Ｉ  光線強度
k0、k1、k2  調和成分比例係数
α  アナライザー回転（円偏光ダイクロイズム）の単位角度
β  （アナライザー回転−旋光）の単位角度
τ  測定試料透過係数
ψ  円偏光ダイクロイズムによって起こされる楕円率
φ  （旋光によって起こされる）面偏光回転角度
δＲ、δＬ  光線のＲおよびＬ円成分の相シフト
Ｒ、Ｌ      光線の右および左円成分請求の範囲
【図１】
0003562768.tif 000003
【図２】
0003562768.tif 000004
【図３】
0003562768.tif 000005
【図４】
0003562768.tif 000006